(57)【要約】【課題】コンセント設置孔や電源スイツチ孔のように寸法が規格化されている角孔を壁面に穿設するための輪郭マークを付ける場合に、ゲージ本体が滑って移動しにくくし、さらにゲージ本体を持ち替える必要をなくして、その際の位置ずれを防止して、ゲージ本体を壁面に正確に位置決めすることができるケガキゲージを提供する。【解決手段】直方体形状のゲージ本体１の表面１ａから裏面１ｂにかけて収容凹部２を形成すると共に、この収容凹部２の底面２ａから前記ゲージ本体１の裏面１ｂに貫通する針孔３を形成し、前記針孔３から出没自在とした止針４を突設した押圧体５を、前記収容凹部２にコイルバネ６を介在させて収容し、さらに前記収容凹部２の開口端２ｂに嵌め込んだ係止枠７によって前記押圧体５が収容凹部２から抜け出ないようにしている。【選択図】図５
2018194319.tif 000002
【特許請求の範囲】
【請求項１】
直方体形状のゲージ本体（１）の表面（１ａ）から裏面（１ｂ）にかけて収容凹部（２）を形成すると共に、この収容凹部（２）の底面（２ａ）から前記ゲージ本体（１）の裏面（１ｂ）に貫通する針孔（３）を形成し、前記針孔（３）から出没自在とした止針（４）を突設した押圧体（５）を、前記収容凹部（２）にコイルバネ（６）を介在させて収容し、さらに前記収容凹部（２）の開口端（２ｂ）に嵌め込んだ係止枠（７）によって前記押圧体（５）が収容凹部（２）から抜け出ないようにしていることを特徴とするケガキゲージ。
【請求項２】
前記ゲージ本体（１）は、短寸方向寸法が５１ｍｍ、長手方向寸法が９５ｍｍであるものとしていることを特徴とする請求項１記載のケガキゲージ。
【請求項３】
前記針孔（３）は、収容凹部（２）の底面（２ａ）からゲージ本体（１）の裏面（１ｂ）に貫通するように少なくとも二個所以上に形成しており、前記止針（４）は、前記針孔（３）に合わせて押圧体（５）の二個所以上に突設したものとしていることを特徴とする請求項１又は２記載のケガキゲージ。
【請求項４】
前記コイルバネ（６）は、止針（４）の周囲に巻装した状態で、バネ頭（６ａ）が前記収容凹部（２）の底面（２ａ）に当接すると共に、バネ底（６ｂ）が前記押圧体（５）の内面（５ｂ）に当接するようにしていることを特徴とする請求項１〜３の何れかに記載のケガキゲージ。
【請求項５】
前記ゲージ本体（１）の内部に、短手方向または長手方向に沿って気泡移動部（８）を設けたものとしていることを特徴とする請求項１〜４の何れかに記載のケガキゲージ。
【発明の詳細な説明】
【技術分野】
【０００１】
この発明は、電気工事や建築工事等において、コンセント設置孔や電源スイツチ孔のように寸法が規格化されている角孔を壁面に穿設するための輪郭マークを付けることができるケガキゲージに関するものである。
【背景技術】
【０００２】
従来、この種のケガキゲージとしては、例えば、図１１、１２に示したような水準器付きのものが存在する。このケガキゲージは、コンセント設置孔や電源スイツチ孔のように寸法が規格化されている角孔を壁面に穿設するに際して作業能率を大幅に高めることを可能とするとしており、以下のような構成としている（特許文献１）。
【０００３】
このケガキゲージは、正面１１ａの短寸方向寸法が５０〜５５ｍｍ、長手方向寸法が９５〜１００ｍｍで、所要の厚さをもつ透明合成樹脂製直方体形状のゲージ本体１１の他の一面１１ｂに板状の磁石Ｍが固着されたものとしている。そして、前記ゲージ本体１１の内部に長手方向と短寸方向とに沿って水平、垂直位置測定用の透明な気泡管部１２、１２が相互に直交する方向に配置されたものとしている。各気泡管部１２は、ゲージ本体１１の内部に長手方向及び短寸方向に沿って中央部が僅かに膨らんだ孔１２ａが穿設されており、この孔１２ａの中央部両側に水平状態確認用マークとなる環状線１３が形成され且つその内部には気泡Ｂを残して液体Ｌが充填されて栓１４で密閉されている。
【０００４】
このような構成のケガキゲージを用いて、コンセント設置孔や電源スイツチ孔のように寸法が規格化されている角孔を壁面に穿設するための輪郭マークを付けるには、ゲージ本体１１を横長にした場合の正面１１ａの上下方向寸法を５０ｍｍまたは５１ｍｍ、長手方向寸法を９５ｍｍとしたものを用いる。このような数値寸法とすることによってその外周縁を利用してコンセント孔形成用の輪郭マークを適正大に付けることができるとしている。
【０００５】
前記コンセント孔形成用の輪郭マークを壁面に付けるには、図１３に示したように、壁の表面材１５の所定位置に前記ゲージ本体１１を長手方向が縦となるように当接し、水平となった気泡管部１２の気泡Ｂが環状線１３、１３の中間に位置するように調節すれば、この気泡管部１２は水平となったことが確認でき、前記ゲージ本体１１の５１ｍｍの辺は水平に、９５ｍｍの辺は垂直になる。したがって、この時のゲージ本体１１の外形線を壁面に筆写すれば、前記した縦が９５ｍｍ、横が５１ｍｍの長方形の角孔を穿設する位置が正確にマークされるとしている。
【先行技術文献】
【特許文献】
【０００６】
【特許文献１】特開平９−２１８０３７号公報
【発明の概要】
【発明が解決しようとする課題】
【０００７】
上記従来のケガキゲージを用いて、コンセント孔形成用の輪郭マークを壁面に付けるには、図１３に示したように、ゲージ本体１１の正面１１ａの適当な個所を指で押さえ付けたり、またはゲージ本体１１の周囲を指で保持したりして、このゲージ本体１１を壁面に位置決めしている。
【０００８】
しかしながら、前記ゲージ本体１１は透明合成樹脂で作製されており、その正面１１ａは平滑であるため、正面１１ａの適当な個所を指で押さえ付けるだけでは、その押えた指が滑りやすく、その指の滑りに応じてゲージ本体１１も滑って移動してしまい、ゲージ本体１１を壁面に正確に位置決めすることができないという課題を有していた。
【０００９】
さらに、前記ゲージ本体１１の周囲を指で保持する場合は、前記輪郭マークを付けるときに、その保持している指が邪魔になるので持ち替えなければならず、その際にゲージ本体１１の位置がずれることがあるという課題を有していた。
【００１０】
そこで、この発明は、上記従来のケガキゲージが有する課題を解決することを目的としており、コンセント設置孔や電源スイツチ孔のように寸法が規格化されている角孔を壁面に穿設するための輪郭マークを付ける場合に、ゲージ本体が滑って移動しにくくし、さらにゲージ本体を持ち替える必要をなくして、その際の位置ずれを防止して、ゲージ本体を壁面に正確に位置決めすることができるケガキゲージを提供することを目的としてなされたものである。
【課題を解決するための手段】
【００１１】
そのため、この発明のケガキゲージは、直方体形状のゲージ本体１の表面１ａから裏面１ｂにかけて収容凹部２を形成すると共に、この収容凹部２の底面２ａから前記ゲージ本体１の裏面１ｂに貫通する針孔３を形成し、前記針孔３から出没自在とした止針４を突設した押圧体５を、前記収容凹部２にコイルバネ６を介在させて収容し、さらに前記収容凹部２の開口端２ｂに嵌め込んだ係止枠７によって前記押圧体５が収容凹部２から抜け出ないようにしている。
【００１２】
この発明のケガキゲージにおいて、前記ゲージ本体１は、短寸方向寸法が５１ｍｍ、長手方向寸法が９５ｍｍであるものとしている。
【００１３】
この発明のケガキゲージにおいて、前記針孔３は、収容凹部２の底面２ａからゲージ本体１の裏面１ｂに貫通するように少なくとも二個所以上に形成しており、前記止針４は、前記針孔３に合わせて押圧体５の二個所以上に突設したものとしている。
【００１４】
この発明のケガキゲージにおいて、前記コイルバネ６は、止針４の周囲に巻装した状態で、バネ頭６ａが前記収容凹部２の底面２ａに当接すると共に、バネ底６ｂが前記押圧体５の内面５ｂに当接するようにしている。
【００１５】
この発明のケガキゲージにおいて、前記ゲージ本体１の内部に、短手方向または長手方向に沿って気泡移動部８を設けたものとしている。
【発明の効果】
【００１６】
この発明のケガキゲージは、以上に述べたように構成されており、コンセント設置孔や電源スイツチ孔のように寸法が規格化されている角孔を壁面に穿設するための輪郭マークを付ける場合に、その壁面にゲージ本体１を当てて、押圧体５を指で押すことにより、止針２が壁面に差し込まれて、ゲージ本体１をその壁面に止めておけるので、ゲージ本体１が滑って移動することもなく、手で押さえたまま状態を維持しておく必要もないので、前記輪郭マークを付ける作業が非常に行い易いものとなった。
【００１７】
さらに、この発明のケガキゲージは、前記輪郭マークを付ける作業時に、気泡移動部８によってゲージ本体１の水平度や垂直度が容易に確認できるものとなり、前記輪郭マークを正確に、しかも速やかに付けることができるものとなる。
【図面の簡単な説明】
【００１８】
【図１】この発明のケガキゲージの一実施形態を示す斜視図である。
【図２】図１に示すこの発明のケガキゲージの正面図である。
【図３】図１に示すこの発明のケガキゲージの側面図である。
【図４】図２中のＡ−Ａ線によるこの発明のケガキゲージの断面図である。
【図５】図２中のＢ−Ｂ線によるこの発明のケガキゲージの断面図である。
【図６】図３中のＣ−Ｃ線によるこの発明のケガキゲージの断面図である。
【図７】この発明のケガキゲージの押圧体の斜視図である。
【図８】この発明のケガキゲージの使用状態を示す説明図である。
【図９】図８の使用状態におけるこの発明のケガキゲージを壁面に止めた状態を示す垂直断面図である。
【図１０】図８の使用状態におけるこの発明のケガキゲージを壁面に止めた状態を示す水平断面図である。
【図１１】従来のケガキゲージの一例を示す斜視図である。
【図１２】図１１に示す従来のケガキゲージの正面図である。
【図１３】図１１に示す従来のケガキゲージの一使用状態を示す説明図である。
【発明を実施するための形態】
【００１９】
以下、この発明のケガキゲージを実施するための形態を、図面に基づいて詳細に説明する。
【００２０】
この発明のケガキゲージは、透明の合成樹脂製とした縦長の平坦な直方体形状のゲージ本体１の表面１ａから裏面１ｂにかけて収容凹部２を形成している。この収容凹部２の底面２ａから前記ゲージ本体１の裏面１ｂに貫通する針孔３を形成している。さらに、前記針孔３から出没自在とした止針４を突設した押圧体５を、前記収容凹部２にコイルバネ６を介在させて収容している。そして、前記押圧体５は、前記収容凹部２の開口端２ｂに嵌め込んだ係止枠７によって、この収容凹部２から抜け出ないようにしている。
【００２１】
前記ゲージ本体１は、表面１ａ、裏面１ｂ、上下左右の側面１ｃ、１ｄ、１ｅ、１ｆを有したものとしており、図示したものの実寸は、短手方向の寸法を４０〜６０ｍｍ程度、規格のコンセント孔形成用の輪郭マークを壁面に付けるには、この寸法を５０ｍｍ程度とし、長手方向の寸法を９０〜１００ｍｍ程度、規格のコンセント孔形成用の輪郭マークを壁面に付けるには、この寸法を９５ｍｍ程度としており、厚さを５〜２０ｍｍ程度、好ましくは１０〜１５ｍｍ程度としているが、これらの寸法は限定されるものではない。
【００２２】
前記収容凹部２は、平面視において略四角形状としており、ゲージ本体１の厚さの３／４〜５／６の深さとしており、実寸では８〜１２ｍｍ程度としている。なお、この収容凹部２は、必要に応じて、その平面視形状を五角形、六角形、八角形などの多角形としたり、円形、長円形などとすることもできる。
【００２３】
前記針孔３は、直径が１〜２ｍｍ程度の円形孔としており、収容凹部２の底面２ａからゲージ本体１の裏面１ｂに貫通するように少なくとも一個所に形成している。なお、この針孔３は、後に述べるように、ゲージ本体１を壁に動かないように止めておくために、少なくとも二本の止針４が出没自在となるように、二個所以上に形成しておくのが好ましい。
【００２４】
前記止針４は、基端を押圧体５に埋設することにより、この押圧体５に突設しており、先端を尖らせた直径が０. ５〜１. ５ｍｍ程度、長さが１０〜１５ｍｍ程度の棒状体としている。さらに、この止針４は、後に述べるように、壁に差し込まれたときに、ゲージ本体１を壁に支えておくだけの支持力を有するものとするために、壁への差し込み長が３〜１０ｍｍ程度になるようにしている。なお、この止針４も、前記針孔３を二個所以上に形成した場合には、その針孔３に合わせて押圧体５の二個所以上に突設したものとしている。
【００２５】
前記押圧体５は、平面視において前記収容凹部２と略同形状の略四角形状とした平板状に形成されており、この収容凹部２に収容可能としており、その厚さを３〜５ｍｍ程度にしている。さらに、この押圧体５は、上面の周囲に段部５ａを形成しており、この段部５ａが、後に述べる係止枠７に差し込まれるようにしている。また、この押圧体５の上面は、凹凸形状にしており、この押圧体５を指で押し込むときに滑りにくくしている。なお、この押圧体５は、前記収容凹部２の平面視形状を五角形、六角形、八角形などの多角形としたり、円形、長円形などとした場合には、その収容凹部２の平面視形状と略同形状にするものとしている。
【００２６】
前記コイルバネ６は、バネ頭６ａが前記収容凹部２の底面２ａに当接すると共に、バネ底６ｂが前記押圧体５の内面５ｂに当接するようにしておれば、その取り付け方は限定されないが、前記止針４の周囲に巻装した状態で、バネ頭６ａが前記収容凹部２の底面２ａに当接すると共に、バネ底６ｂが前記押圧体５の内面５ｂに当接するようにすれば、それらの当接面から外れてしまわないようにすることができる。なお、前記コイルバネ６を円錐コイルバネとした場合は、バネの縮小状態において、非常に嵩の低いものとなるので、前記止針４の出没差を大きくすることができる。
【００２７】
前記係止枠７は、内面の周囲に段部７ａを形成しており、この段部７ａを前記収容凹部２の開口端２ｂに嵌め込むようにしており、この係止枠７の内端に前記押圧体５の段部５ａが当たって、この押圧体５が前記収容凹部２から抜け出ないようにしている。
【００２８】
そして、発明のケガキゲージは、前記ゲージ本体１の内部に、短手方向に沿って垂直度または水平度を測定するための気泡移動部８と、長手方向に沿って垂直度または水平度を測定するための気泡移動部８を、互いに直交する方向に設けている。
【００２９】
さらに、前記ゲージ本体１は、表面１ａの中央から裏面１ｂの中央にかけて前記輪郭マーク付け用の中心孔ｈを貫通させたものとしているが、この中心孔ｈは必要に応じて設ければよい。さらに、前記ゲージ本体１には、必要に応じて、磁石Ｍを設けたものとしており、その磁石Ｍの露出面を上下左右の側面１ｃ、１ｄ、１ｅ、１ｆのいずれかと面一なるように、その側面からゲージ本体１の内部に埋設したものとしている。なお、前記磁石Ｍは、円柱形状の磁石体としているが、ボタン形状の磁石体、板形状の磁石体などとしてもよく、板形状の磁石体とした場合には、ゲージ本体１に埋設することなく、側面に直に接着したものとすることができる。
【００３０】
前記気泡移動部８は、ゲージ本体１の下側面１ｄ及び右側面１ｆから内部にかけて気泡管Ｐを穿設し、この気泡管Ｐに気泡Ｂを残して液体Ｌを充填し、合成樹脂製の止栓９で密閉している。さらに、前記気泡移動部８は、中央部両側に垂直度または水平度を確認するためのマークとなる環状線Ｋ、Ｋが設けられている。
【００３１】
さらに、前記気泡移動部８は、ゲージ本体１の中央部に前記収容凹部２を形成しやすくしたり、その気泡移動部８を見やすくするため、ゲージ本体１の上下左右の側面１ｃ、１ｄ、１ｅ、１ｆのいずれかの近辺に設けたものとするのが好ましい。なお、前記気泡移動部８は、ゲージ本体１の裏面１ｂから内部にかけて穿設され、内方部の空間と外方部の空間とが連設されたものとして、内方部の空間に気泡Ｂを残して液体Ｌを充填し、外方部の空間に合成樹脂製の蓋体を嵌め込み、内方部の空間を密閉するなど、その他適宜の手段によってゲージ本体１に設けることができる。
【００３２】
以上のように構成されたこの発明のケガキゲージを用いて、コンセント設置孔や電源スイツチ孔のように寸法が規格化されている角孔を壁面に穿設するための輪郭マークを付けるには、例えばゲージ本体１の短手方向の寸法を５１ｍｍ、長手方向の寸法を９５ｍｍ、厚さを１３ｍｍにする。
【００３３】
このようなケガキゲージを用いて、前記コンセント孔形成用の輪郭マークを壁面に付けるには、片手でゲージ本体１を持って、壁面Ｈの所定位置にゲージ本体１の長手方向が縦となるようにして押さえ付ける。そして、このゲージ本体１を押し付けた状態で、水平度を確認する気泡移動部８の気泡Ｂが環状線Ｋの中間に位置するように調節する。このようにすれば、この気泡移動部８が水平となったことが確認でき、ゲージ本体１の短手方向は水平に、長手方向は垂直になる。
【００３４】
次に、図８に示したように、指で押圧体５を壁面Ｈ方向に押さえ付けると、収容凹部２の針孔３から、押圧体５に突設した止針４が突出して、この止針４が壁面Ｈに突き刺さる。図示したものでは、止針４を押圧体５の二個所に突設したものとしているので、この二本の止針４が壁面Ｈに突き刺さった状態では、ゲージ本体１が位置決めされ、壁面Ｈに動かないように止めておくことができる。
【００３５】
そこで、前記壁面Ｈに位置決めされたゲージ本体１の外形線をその壁面Ｈに筆写すれば、縦が９５ｍｍ、横が５１ｍｍの長方形の角孔を穿設する位置が正確にマークされることになる。この場合、ゲージ本体１の外形線を筆写しない方の手を、ゲージ本体１に添えながら、その筆写する作業を行えば、ゲージ本体１の外形線が引き易くなり、作業性が良くなる。
【００３６】
したがって、この発明のケガキゲージは、ゲージ本体１が滑って移動することもなく、手で押さえたまま状態を維持しておく必要もないので、前記輪郭マークを付ける作業が非常に行い易いものとなる。
【００３７】
さらに、この発明のケガキゲージは、前記輪郭マークを付ける作業時に、気泡移動部８によってゲージ本体１の水平度や垂直度が容易に確認できるものとなり、前記輪郭マークを正確に、しかも速やかに付けることができるものとなる。
【００３８】
また、この発明のケガキゲージは、前記輪郭マークを付ける作業が終了すれば、片手でゲージ本体１を持って、壁面Ｈから引き離せば、壁面Ｈに突き刺さっていた止針４がコイルバネ６によって収容凹部２に引き戻され、針孔３からは突出しないものとなるので、保管時や運搬時などに、安全に取り扱うことができるものとなる。
【符号の説明】
【００３９】
１  ゲージ本体
１ａ  表面
１ｂ  裏面
２  収容凹部
２ａ  底面
２ｂ  開口端
３  針孔
４  止針
５  押圧体
５ｂ  内面
６  コイルバネ
６ａ  バネ頭
６ｂ  バネ底
７  係止枠
８  気泡移動部
【図１】
2018194319.tif 000003
【図２】
2018194319.tif 000004
【図３】
2018194319.tif 000005
【図４】
2018194319.tif 000006
【図５】
2018194319.tif 000007
【図６】
2018194319.tif 000008
【図７】
2018194319.tif 000009
【図８】
2018194319.tif 000010
【図９】
2018194319.tif 000011
【図１０】
2018194319.tif 000012
【図１１】
2018194319.tif 000013
【図１２】
2018194319.tif 000014
【図１３】
2018194319.tif 000015